(57)【特許請求の範囲】
【請求項１】
走行車体（１）と、
前記走行車体（１）の前側に連結されたモーアユニット（２）を備える乗用型草刈機において、
前記モーアユニット（２）は、
回転しながら草を刈る回転刈り刃（２１，２２，２３）と、
前記回転刈り刃（２１，２２，２３）を収納し、後部に刈草を排出する刈草排出口（１４）を有するモーアデッキ（２０）を備え、
前記モーアデッキ（２０）を前記走行車体（２）の左右幅より幅広に構成し、
前記刈草排出口（１４）の後方に斜め下方に傾斜する刈草案内部材（２０Ｅ）を設け、
前記走行車体（２）より左右外側に位置する部分の前記刈草案内部材（２０Ｅ）の上面にガード部材（１５０）を取り付け、
前記ガード部材（１５０）を、左右方向軸芯に対して回動自在に支持する回動軸（１５３）を設け、
前記モーアデッキ（２０）を草刈作業姿勢と、起立姿勢に変更可能に構成し、
前記ガード部材（１５０）は、前記回動軸（１５３）により回動自在に支持されることにより、
前記モーアデッキ（２０）が前記草刈作業姿勢の際に、前記ガード部材（１５０）の後端部が前記刈草案内部材（２０Ｅ）の後端部よりも後方で、かつ地面に接近する側に位置する草刈作業時の姿勢に変更可能であると共に、
前記モーアデッキ（２０）が前記起立姿勢の際に、前記ガード部材（１５０）の後端部が地面から離れる側に前記刈草案内部材（２０Ｅ）から離間する位置の非草刈作業時の姿勢に変更可能である、ことを特徴とする乗用型草刈機。
【請求項２】
前記ガード部材（１５０）を、枠体に構成することを特徴とする請求項１記載の乗用型草刈機。
【発明の詳細な説明】
【技術分野】
【０００１】
本発明は、リアディスチャージ型の草刈装置を備えた乗用型草刈機に関する。
【背景技術】
【０００２】
従来、乗用型草刈機として走行車体の前部に、リアディスチャージ型の草刈装置（モーアユニット）を配置した草刈機が知られている（例えば、特許文献１参照。）。
【０００３】
特許文献１の草刈機では、図１４に示す通り、作業者が乗る自走車体１００１と、自走車体１００１の前側にリンク機構１００８を介して連結されたリアディスチャージ型の草刈装置（モーアユニット）１００２を備えている。自走車体１００１は、左右一対の前輪１００３と、左右一対の後輪１００４を有し、自走車体１００１の後部には、エンジン１００５が設けられている。
【０００４】
また、運転座席１００６の下方には、ミッションケース（図示省略）が設けられている。エンジン１００５からの駆動力は、このミッションケースの動力取り出し軸（図示省略）に連結された回転軸１００７を介して草刈装置１００２に伝達するべく構成されている。
【０００５】
また、この草刈装置１００２は、芝刈りや草刈り作業を行うものであり、ミッションケースの内部に設けられている昇降シリンダー（図示省略）を伸縮操作することにより、リンク機構１００８が、下降作業状態と、上昇非作業状態とに、設定可能となるように構成されている。下降作業状態は、草刈装置１００２の接地ゲージ輪１００９が地面に接地した状態であり、芝刈りや草刈り作業が可能である。一方、上昇非作業状態は、接地ゲージ輪１００９が地面から上昇した状態である。
【０００６】
草刈装置１００２を下降作業状態にして自走車体１００１を走行させると、草刈装置１００２が、刈り刃ハウジング（モーアデッキ）１０１０に収納された複数の回転刈り刃１０１１，１０１２，１０１３によって芝刈りや草刈りを行う。そして、刈草は刈り刃ハウジング１０１０の後端部のほぼ全横幅にわたって設けられた刈草排出口１０１４から、刈り刃ハウジング１０１０の後方に排出される構成である。
【先行技術文献】
【特許文献】
【０００７】
【特許文献１】特許第４５４６９１１号公報
【発明の概要】
【発明が解決しようとする課題】
【０００８】
しかしながら、特許文献１に示す草刈装置では、刈草排出口１０１４は、刈草を排出するための開口部であるため、人の足がその開口部に入り込む可能性があり、回転している左右の回転刈り刃１０１１，１０１３に接触し得るという安全上の問題がある。
【０００９】
本発明の目的は、従来のリアディスチャージ型の草刈装置を配置した草刈機のこの様な課題を考慮し、安全性を向上させた乗用型草刈機を提供することを目的とする。
【課題を解決するための手段】
【００１０】
上記目的を達成するために、第１の本発明は、
走行車体（１）と、
前記走行車体（１）の前側に連結されたモーアユニット（２）を備える乗用型草刈機において、
前記モーアユニット（２）は、
回転しながら草を刈る回転刈り刃（２１，２２，２３）と、
前記回転刈り刃（２１，２２，２３）を収納し、後部に刈草を排出する刈草排出口（１４）を有するモーアデッキ（２０）を備え、
前記モーアデッキ（２０）を前記走行車体（２）の左右幅より幅広に構成し、
前記刈草排出口（１４）の後方に斜め下方に傾斜する刈草案内部材（２０Ｅ）を設け、
前記走行車体（２）より左右外側に位置する部分の前記刈草案内部材（２０Ｅ）の上面にガード部材（１５０）を取り付け、
前記ガード部材（１５０）を、左右方向軸芯に対して回動自在に支持する回動軸（１５３）を設け、
前記モーアデッキ（２０）を草刈作業姿勢と、起立姿勢に変更可能に構成し、
前記ガード部材（１５０）は、前記回動軸（１５３）により回動自在に支持されることにより、
前記モーアデッキ（２０）が前記草刈作業姿勢の際に、前記ガード部材（１５０）の後端部が前記刈草案内部材（２０Ｅ）の後端部よりも後方で、かつ地面に接近する側に位置する草刈作業時の姿勢に変更可能であると共に、
前記モーアデッキ（２０）が前記起立姿勢の際に、前記ガード部材（１５０）の後端部が地面から離れる側に前記刈草案内部材（２０Ｅ）から離間する位置の非草刈作業時の姿勢に変更可能である、ことを特徴とする乗用型草刈機である。
【００１１】
これにより、刈草排出口へ足が入り込むことを防止出来る。
【００１２】
【００１３】
また、ガード部材は、刈草排出口へ足が入り込む場所をガード出来る。
【００１４】
【００１５】
また、メンテナンスのためにモーアユニットを起こすときに、ガード部材を回動して地面から遠ざけることが出来る。
【００１６】
また、第２の本発明は、
前記ガード部材（１５０）を、枠体に構成することを特徴とする上記第１の本発明の乗用型草刈機である。
【００１７】
これにより、ガード部材は内部が中空の枠体であるため、刈草が刈草排出口から排出されることを阻害しない。
【００１８】
【００１９】
【発明の効果】
【００２０】
本発明によれば、安全性を向上させた乗用型草刈機を提供することが出来る。
【図面の簡単な説明】
【００２１】
【図１】本発明にかかる実施の形態１における乗用型草刈機の左側面図
【図２】本発明にかかる実施の形態１における乗用型草刈機の平面図
【図３】（ａ）本発明にかかる実施の形態１における草刈装置の平面図、（ｂ）本発明にかかる実施の形態１における草刈装置の背面図、（ｃ）本発明にかかる実施の形態１における草刈装置の左側面図
【図４】本発明にかかる実施の形態１における草刈装置の裏面図
【図５】本発明にかかる実施の形態１における草刈装置を裏面側から視た要部斜視図
【図６】（ａ）本発明にかかる実施の形態１における草刈装置からベルトカバーを外した状態の平面図、（ｂ）本発明にかかる実施の形態１における草刈装置の左側面図
【図７】（ａ）本発明にかかる実施の形態１における草刈装置のガード部材の平面図、（ｂ）本発明にかかる実施の形態１における草刈装置のガード部材の正面図、（ｃ）本発明にかかる実施の形態１における草刈装置のガード部材の左側面図
【図８】本発明にかかる実施の形態１における草刈装置に取り付けられたガード部材の斜視図
【図９】（ａ）本発明にかかる実施の形態１における草刈装置をフリップアップする前に、ガード部材を上方向に回動させた状態の斜視図、（ｂ）本発明にかかる実施の形態１における草刈装置のガード部材を上方向に回動させた状態で、草刈装置をフリップアップした状態の斜視図
【図１０】本発明にかかる実施の形態１における草刈装置のモーアデッキの後部に設けられた補強リブを示すために天板の一部を切り欠いた部分拡大斜視図
【図１１】本発明にかかる実施の形態１における草刈装置をフリップアップした状態の左側面図
【図１２】図１１のＥ部の部分拡大図
【図１３】図１１の右側のＥ部の部分拡大斜視図
【図１４】従来のリアディスチャージ型の草刈装置を備えた草刈機の平面図
【発明を実施するための形態】
【００２２】
以下に、図面を参照しながら本発明の乗用型草刈機にかかる一実施の形態の乗用型草刈機について説明する。
【００２３】
（実施の形態１）
ここでは、図１〜図１０を用いて、本実施の形態１の乗用型草刈機についてその構成と動作を説明する。
【００２４】
図１は、本発明にかかる実施の形態１における乗用型草刈機の左側面図である。図２は、本発明にかかる実施の形態１における乗用型草刈機の平面図である。
【００２５】
尚、本明細書において、前方向とは、草を刈る際の進行方向（矢印Ａ参照）を前方向として示し、左方向とは、乗用型草刈機に作業者が乗って進行方向を見たときの左手方向（矢印Ｌ参照）、右方向とは、乗用型草刈機に作業者が乗って進行方向を見たときの右手方向（矢印Ｒ参照）を示す。又、上方が矢印Ｔで示されている。
【００２６】
図１及び図２に示す通り、本実施の形態１の乗用型草刈機は、作業者が乗る走行車体１と、走行車体１の前側に左右一対のリンク機構のリフトアーム１１Ｌ、１１Ｒを介して連結されたリアディスチャージ型の草刈装置（モーアユニット）２を備えている。走行車体１は、左右一対の前輪３と、左右一対の後輪４を有し、走行車体１の後部には、エンジン５が設けられている。又、走行車体１の前部には、ステップフロア６が設けられており、ステップフロア６の上方には運転座席７が配置されている。運転座席７の前方には、ステアリングポスト８が設けられており、ステアリングポスト８の上部にはハンドル９が配置されている。
【００２７】
また、運転座席７の下方には、ミッションケース１０が設けられている。エンジン５からの駆動力は、このミッションケース１０の動力取り出し軸（図示省略）に連結された回転軸１２を介して草刈装置２に伝達するべく構成されている。
【００２８】
また、この草刈装置２は、芝刈りや草刈り作業を行うものであり、昇降シリンダー（図示省略）の伸縮操作に左右一対のリンク機構のリフトアーム１１Ｌ、１１Ｒが連動することにより、上昇下降が可能となるように構成されている。尚、図２に示す通り、リンク機構のリフトアーム１１Ｌ、１１Ｒは、それぞれのアーム先端部１１０Ｌ、１１０Ｒにおいてモーアデッキ２０の天板２０ｔと回動自在に連結されている。
【００２９】
左右一対のリンク機構のリフトアーム１１Ｌ、１１Ｒが下降すると、草刈装置２の左右一対の接地ゲージ輪２６が地面に接地した状態となり、芝刈りや草刈り作業が可能となる。尚、この場合、モーアデッキ２０の後部は、左右一対の後部リンク１３Ｌ，１３Ｒにより、走行車体１の前下部に連結されており、モーアデッキ２０の後部の上下動を規制している。
【００３０】
一方、左右一対の後部リンク１３Ｌ、１３Ｒによる連結を解除して、左右一対のリンク機構のリフトアーム１１Ｌ、１１Ｒを上昇させることにより、モーアデッキ２０の内部が走行車体１の前方を向いた起立姿勢の状態（フリップアップ状態）となり、草刈装置２のモーアデッキ２０内部の清掃や点検などが可能となる。これに関しては更に後述する。
【００３１】
草刈装置２を下降作業状態にして走行車体１を走行させると、草刈装置２が、刈り刃ハウジング（モーアデッキ）２０に収納された３枚の回転刈り刃２１、２２、２３によって芝刈りや草刈りを行う。そして、刈草は刈り刃ハウジング２０の後端部のほぼ全横幅にわたって設けられた刈草排出口１４から、刈り刃ハウジング２０の後方に排出される構成である。
【００３２】
草刈装置２の左右幅は左右一対の走行車体１よりも左右方向に幅広に設けている。そして、図２に示す通り、刈草排出口１４の左右の両端側、すなわち前輪３より外側の刈草排出口１４の領域に、刈草排出口１４へ人の足が入り込むことを防止するためのガード部材１５０が回動可能に設けられている。ガード部材１５０については更に後述する（図７〜図９参照）。
【００３３】
次に、主として図３〜６を参照しながら本実施の形態の草刈装置２について更に説明する。
【００３４】
図３（ａ）は、本実施の形態１における草刈装置の平面図であり、図３（ｂ）は、本実施の形態１における草刈装置の背面図であり、図３（ｃ）は、本実施の形態１の草刈装置２の左側面図である。図４は、本実施の形態１の草刈装置２の裏面図である。図５は、モーアデッキ２０を裏面側から視た要部斜視図であり、主要部（フロントガイド、回転刈り刃、ガード部材など）以外の構成は省略されている。
【００３５】
草刈装置２は、図４，図５に示す通り、第１回転刈り刃２１、第２回転刈り刃２２、第３回転刈り刃２３と、これら回転刈り刃を収納するモーアデッキ２０と、モーアデッキ２０の上部に設けられた、回転軸１２からの駆動力を３つの回転刈り刃に伝達する伝達ベルト４０（図６参照）と、伝達ベルト４０を覆うベルトカバー２４とを有している。そして、図４、５に示す通り、第１回転刈り刃２１、第２回転刈り刃２２、及び第３回転刈り刃２３は、それぞれ第１回転軸２１ａ、第２回転軸２２ａ、第３回転軸２３ａを中心に同一方向（矢印Ｅ方向）に回転する。
【００３６】
また、図３，図４に示す通り、モーアデッキ２０の前後には、接地ゲージ輪２６の他に、接地ローラ２５，２６，２７が回転可能に設けられている。
【００３７】
また、モーアデッキ２０の左右両端側のそれぞれの側壁２０Ｌ、２０Ｒには、モーアデッキ２０を保護するためのプロテクタ２９が設けられている（図３、図４参照）。
【００３８】
尚、モーアデッキ２０の前側の左右の側壁２０ｆＬ、２０ｆＲ、及び、上記の左右両端側の側壁２０Ｌ、２０Ｒは、それぞれ、モーアデッキ２０の天板２０ｔから折り曲げられて形成されている。
【００３９】
また、図６（ａ）、（ｂ）に示す通り、第１回転軸２１ａ、第２回転軸２２ａ、第３回転軸２３ａには、それぞれ第１プーリ３７、第２プーリ３８、第３プーリ３９が配置されている。これら第１プーリ３７、第２プーリ３８、及び第３プーリ３９に伝達ベルト４０が捲き掛けられており、回転軸１２からの駆動力を伝達ベルト４０により３つの回転刈り刃２１，２２，２３に伝達する。
【００４０】
以上の構成により、エンジン５からの駆動力が回転軸１２を介して伝達ベルト４０に伝達されると、３つの回転刈り刃２１，２２，２３が、それぞれＥ方向に回転し、これら各回転刈り刃２１，２２，２３によって、芝刈りや草刈りを行う。尚、刈り高さは、接地ゲージ輪２６の取り付け高さを調整することによって決まる。
【００４１】
次に、主として図７〜９を参照しながら本実施の形態の草刈装置２に設けられたガード部材１５０について更に説明する。
【００４２】
図７（ａ）は、本実施の形態１における草刈装置のガード部材１５０と、ガード部材１５０をモーアデッキ２０の後部に設けられた刈草案内部材２０Ｅに取り付けるための取り付け板１５１との平面図であり、図７（ｂ）は、本実施の形態１における草刈装置のガード部材１５０と取り付け板１５１との正面図であり、図７（ｃ）は、本実施の形態１における草刈装置のガード部材１５０と取り付け板１５１との左側面図である。
【００４３】
尚、刈草案内部材２０Ｅについては、更に後述する。
【００４４】
図７（ａ）〜図７（ｃ）に示す通り、ガード部材１５０は内部が中空の略矩形状の枠体であって、主として、ガード本体１５２と、ガード本体１５２を取り付け板１５１に回動可能に支持する回動シャフト１５３（「回動軸」の一例に該当する）と、回動シャフト１５３の一端側に配置されて、ガード本体１５２が回動シャフト１５３の軸芯方向（図７（ｂ）のＸ参照）にシフトすることを規制する圧縮バネ部材１５４等から構成されている。
【００４５】
また、ガード本体１５２は、略Ｕ字状に折り曲げられた板部材であって、その両端の辺の一方の辺１５２ａ（「第２の辺」と呼んでも良い）の先端部が回動シャフト１５３の一端部１５３ａと直角に連結固定されており、他方の辺１５２ｃ（「第３の辺」と呼んでも良い）の先端部が回動シャフト１５３の他端部１５３ｂと直角に連結固定されている。また、一方の辺１５２ａと他方の辺１５２ｃの間にある中央の辺１５２ｂ（「第４の辺」と呼んでも良い）は、足の侵入を阻止するためのものである。
【００４６】
また、ガード本体１５２の一方の辺１５２ａと、他方の辺１５２ｃの下端縁部にはゴム材料等から形成されたシート状の保護部材１５５が固定されており、刈草案内部材２０Ｅとガード本体１５２が直接に接触して傷等が生じることを防止している。また、ガード本体１５２の他方の辺１５２ｃの先端側には、ガード本体１５２を、ボルト１６０ａとナット１６０ｂにより取り付け板１５１に固定するための孔（図示省略）が形成されている。
【００４７】
また、取り付け板１５１は、刈草案内部材２０Ｅの上面にねじで固定される底板部１５１ａと、底板部１５１ａの両端から垂直に立ち上がり、回動シャフト１５３を回動自在に支持する左右一対の回動シャフト支持部１５１ｂＬ、１５１ｂＲから構成されている。また、図７（ａ）〜図７（ｃ）に示す通り、左側の回動シャフト支持部１５１ｂＬには、端部が半球形状のストッパーピン１６１が挿入固定されている。また、左側の回動シャフト支持部１５１ｂＬには、ガード本体１５２を取り付け板１５１にボルト１６０ａとナット１６０ｂにより固定するための孔（図示省略）が形成されている。
【００４８】
以上の構成から明らかな様に、工具（図示省略）を用いて、ガード本体１５２を取り付け板１５１に固定しているボルト１６０ａとナット１６０ｂを取り外すことにより、ガード本体１５２が回動シャフト１５３の軸芯Ｘ回りに回動可能となる（図７（ｃ）参照）。この場合、圧縮バネ部材１５４の伸長力によりガード本体１５２が取り付け板１５１に対してＢ方向に常に付勢されている。そのため、ガード本体１５２に対してＡ方向に回動させる外力が働いたとき、ガード本体１５２の他方の辺１５２ｃの上端縁部１５２ｃ１は、ストッパーピン１６１の半球形状の端部に接触するが、その端部が半球形状であるために、ガード本体１５２は取り付け板１５１に対してＣ方向に少し移動して、その端部を容易に乗り越えることが出来る構成である。
【００４９】
次に、図８、図９（ａ）、図９（ｂ）を参照しながら、ガード部材１５０の機能と効果について説明する。
【００５０】
図８は、本実施の形態１における草刈装置２に取り付けられたガード部材１５０の斜視図である。また、図９（ａ）は本実施の形態１における草刈装置２をフリップアップする前に、作業者がガード部材１５０を上方向に回動させた状態の斜視図である。また、図９（ｂ）は本実施の形態１における草刈装置２のガード部材１５０を上方向に回動させた状態で、草刈装置２をフリップアップした状態の斜視図であり、左右一対の接地ローラ２７は地面に接地しているが、ガード部材１５０は地面に接地していない状態を示している。
【００５１】
図８に示す通り、通常は、ガード本体１５２は、ボルト１６０ａとナット１６０ｂにより取り付け板１５１に固定されているため、左右一対の辺１５２ａと１５２ｃは刈草排出口１４の傾斜に沿って後方に伸びており、中央の辺１５２ｂは刈草排出口１４から離れ且つ地面の近くに位置している。
【００５２】
そのために、作業者が足を滑らせて、刈草排出口１４に足先が近づいたとしても、図８に示す通り、足の甲（図８のＤ参照）の部分がガード本体１５２の中央の辺１５２ｂに接触するので、それ以上足先が刈草排出口１４に近づくのが阻止される。
【００５３】
これにより、作業者の足が刈草排出口１４に入り込むことを阻止し、回転している左右の回転刈り刃２１、２３に接触することを防止出来る。更に、ガード部材１５０は内部が中空の略矩形状の枠体であるため、刈草が刈草排出口１４から排出されることを阻害しない。
【００５４】
ガード部材１５０は刈草排出口１４から円滑に草が排出されるように枠体内部が中空状に形成されていれば良く、前述の略矩形状とは長方形状以外に、台形状や平行四辺形やその他多角形状のものも可能である。
【００５５】
また、草刈装置２のモーアデッキ２０内部の清掃や点検などを行うときは、上述した通り、左右一対の後部リンク１３Ｌ、１３Ｒによる連結を解除して、左右一対のリンク機構のリフトアーム１１Ｌ、１１Ｒを上昇させることにより、草刈装置２を起立姿勢の状態（フリップアップ状態）にする。この場合、図９（ａ）に示す通り、草刈装置２を起立姿勢の状態にする前に、作業者が、工具（図示省略）を用いて、ガード本体１５２を取り付け板１５１に固定しているボルト１６０ａとナット１６０ｂを取り外して、ガード本体１５２を回動シャフト１５３の軸芯Ｘ回りに約９０°回転させることが出来る（図７（ｃ）の矢印Ａを参照）。
【００５６】
これにより、図９（ｂ）に示す通り、草刈装置２を起立姿勢の状態にしたときでも、ガード本体１５２が地面と接触することが無いので、邪魔にならない。また、作業者が、工具（図示省略）を用いて、ガード本体１５２を取り付け板１５１に固定しているボルト１６０ａとナット１６０ｂを取り外した後、ガード本体１５２を回転させるのを忘れたとしても、草刈装置２が起立し始めると、ガード本体１５２がストッパーピン１６１の半球形状の端部を容易に乗り越えることが出来るので、ガード部材１５０が破損することは無い。
【００５７】
次に、モーアデッキ２０を補強するための構成について説明する。
【００５８】
刈草案内部材２０Ｅは、図５、図８に示す通り、刈草排出口１４の上端側において、モーアデッキ２０の後端部が下方に傾斜するように折り曲げられて形成されている。これにより、モーアデッキ２０の後部が、左右幅方向において開放されていることによる強度低下を改善することが出来る。
【００５９】
更に、上記モーアデッキ２０の後部の強度低下箇所を補強するために、図５に示す通り、刈草案内部材２０Ｅの近傍であって、モーアデッキ２０の左右の幅方向において補強用リブ２０ａが形成されている。この補強用リブ２０ａは、モーアデッキ２０の内面側に突き出している（図１０参照）。
【００６０】
更にまた、刈草案内部材２０Ｅの両端は、モーアデッキ２０の後端の左右両端部において直角に折り曲げられた左右一対の後端部の側壁２０ｒＬ、２０ｒＲと、三角形状の補強板１６Ｌ、１６Ｒを用いて溶接されている。
【００６１】
これにより、図５に示す通り、モーアデッキ２０は、前側の左右の側壁２０ｆＬ、２０ｆＲ、及び、左右両端側の側壁２０Ｌ、２０Ｒ、及び、後端部の側壁２０ｒＬ、２０ｒＲが、三角形状の補強板１６Ｌ、１６Ｒ、及び刈草案内部材２０Ｅを介して、全て溶接により連結固定されており、強度アップが可能となる。そして、左右一対の後部リンク１３Ｌ、１３Ｒ等（図１，２参照）により荷重がかかるモーアデッキ２０の後部における歪みや変形、亀裂等の発生を防止出来る。
【００６２】
なお、図示はしないが、刈草案内部材２０Ｅの下面には、刈草をさらに良好に案内するためのゴム製の案内板を取り付けても良い。
【００６３】
次に、図１１、図１２、図１３を参照しながら、草刈装置２を起立姿勢に維持して安全に作業をすることが出来る構成について説明する。
【００６４】
まず最初に、便宜上、図１１を用いて、従来における草刈装置を起立姿勢にする場合の問題点について説明する。図１１は、本実施の形態１における草刈装置をフリップアップした状態の左側面図である。
【００６５】
従来の草刈装置を起立姿勢にする場合、左右一対の後部リンク（図１１の１３Ｌ（１３Ｒ）参照）とモーアデッキ（図１１の２０参照）とを連結する連結ピンを抜き取って連結を解除して、リンク機構のリフトアーム（図１１の１１Ｌ（１１Ｒ）参照）を上昇操作する。これにより、草刈装置（図１１の２参照）は、上昇しながら、草刈装置の自重によりリフトアーム（図１１の１１Ｌ、１１Ｒ参照）のアーム先端部（図１１の１１０Ｌ、１１０Ｒ参照）を回動軸として、リフトアームに対して矢印Ｆ方向に回動し、バランスのとれた状態で回動を停止して、起立姿勢となる（図１１参照）。
【００６６】
そして、作業者は、草刈装置のモーアデッキ（図１１の２０参照）内部の清掃、点検、あるいは回転刈り刃の交換などを行う。しかし、従来の草刈装置の起立姿勢は、自重によるバランスのとれた位置で停止してため、仮にバランスが崩れた場合に草刈装置の回動を停止させる機構がないため、起立姿勢を安定的に維持できず、作業中に草刈装置が倒れる可能性もあった。
【００６７】
そこで、この様な従来の課題を解決するために、図１２、図１３に示す様な構成を採用した。以下、その構成について説明する。
【００６８】
図１２は、図１１のＥ部の部分拡大図であり、連結ブラケットの一部を切り欠いてその内部を示している。また、図１３は、図１１の右側のＥ部の部分拡大斜視図である。
【００６９】
図１２に示す通り、左右一対のリンク機構のリフトアーム１１Ｌ、１１Ｒのアーム先端部１１０Ｌ、１１０Ｒは、モーアデッキ２０の天板２０ｔに設けられた左右一対の連結ブラケット２００Ｌ、２００Ｒに対して、回動支持ピン２０１Ｌ、２０１Ｒにより回動自在に支持されている。
【００７０】
また、アーム先端部１１０Ｌ、１１０Ｒの前側の角部１１０ａＬ、１１０ａＲは、４５°にカット（面取り）されており、その近傍には、草刈装置２の起立姿勢を保持する左右一対の固定ピン２１０Ｌ、２１０Ｒ（図１３参照）を挿入するための第１の貫通孔１１０ｂＬ、１１０ｂＲが設けられている。また、連結ブラケット２００Ｌ、２００Ｒにも、草刈装置２の起立姿勢を保持する左右一対の固定ピン２１０Ｌ、２１０Ｒを挿入するための第２の貫通孔２０２Ｌ、２０２Ｒが形成されている。
【００７１】
本実施の形態１では、草刈装置２の起立姿勢を保持する左右一対の固定ピン２１０Ｌ、２１０Ｒとして、後部リンク１３Ｌ、１３Ｒとモーアデッキ２０とを連結する連結ピンを使用する構成である。即ち、上述した通り、草刈装置２を起立姿勢にする場合、左右一対の後部リンク１３Ｌ、１３Ｒとモーアデッキ２０とを連結する連結ピンを抜き取って連結を解除して、リンク機構のリフトアーム１１Ｌ、１１Ｒを上昇操作するため、連結ピンの使用が可能である。
【００７２】
また、連結ブラケット２００Ｌ、２００Ｒの前側面２００ａＬ、２００ａＲの上部には、草刈装置２の起立姿勢における回動角度を規制するためのストッパー機構２１０が設けられている。
【００７３】
このストッパー機構２１０は、上記前側面２００ａＬ、２００ａＲの上部に形成された貫通孔２１１Ｌ、２１１Ｒの位置に固定ナット２１２Ｌ、２１２Ｒが固定されており、その固定ナット２１２Ｌ、２１２Ｒに対してストッパーボルト２１３Ｌ、２１３Ｒが螺合しており、ストッパーボルト２１３Ｌ、２１３Ｒを回転させることでその高さを調節出来る構成である。また、高さが調節されたストッパーボルト２１３Ｌ、２１３Ｒは、ロックナット２１４Ｌ、２１４Ｒによりロックされる構成である。
【００７４】
以上の構成により、草刈装置２を起立姿勢にする場合、左右一対の後部リンク１３Ｌ、１３Ｒとモーアデッキ２０とを連結する連結ピンを抜き取って連結を解除して、リンク機構のリフトアーム１１Ｌ、１１Ｒを上昇操作する。これにより、図１１、図１２に示す通り、草刈装置２は、上昇しながら、草刈装置２の自重によりリフトアーム１１Ｌ、１１Ｒのアーム先端部１１０Ｌ、１１０Ｒの回動支持ピン２０１Ｌ、２０１Ｒ（図１２参照）を回動軸として、リフトアーム１１Ｌ、１１Ｒに対して矢印Ｆ方向に回動し、バランスのとれた状態で回動を停止して、起立姿勢となる。
【００７５】
作業者は、草刈装置２が起立姿勢になったときに、左右一対のストッパーボルト２１３Ｌ、２１３Ｒを回転させて、そのストッパーボルトのヘッド部２１３ａＬ、２１３ａＲが、アーム先端部１１０Ｌ、１１０Ｒの前側の角部１１０ａＬ、１１０ａＲに接触する様に、その高さを調節した後、ロックナット２１４Ｌ、２１４Ｒを締め付けることによりストッパーボルト２１３Ｌ、２１３Ｒをロックする。
【００７６】
これにより、草刈装置２は起立姿勢を維持することが出来るので、作業者はより安全に作業を行える。
【００７７】
更に、この起立姿勢を維持した状態において、草刈装置２の起立姿勢を保持する左右一対の固定ピン２１０Ｌ、２１０Ｒとして、草刈装置２を起立姿勢にする際に左右一対の後部リンク１３Ｌ、１３Ｒから抜き取られた連結ピンを使用する。即ち、作業者は、左右一対の固定ピン２１０Ｌ、２１０Ｒとして、連結ピンを連結ブラケット２００Ｌ、２００Ｒの第２の貫通孔２０２Ｌ、２０２Ｒ、及び、アーム先端部１１０Ｌ、１１０Ｒの第１の貫通孔１１０ｂＬ、１１０ｂＲにそれぞれ挿入して、草刈装置２が回動しない様に確実固定する。
【００７８】
これにより、草刈装置２の起立姿勢は確実に保持出来るので、作業者は更に安全に作業を行える。また、後部リンク１３Ｌ、１３Ｒから抜き取られた連結ピンを固定ピン２１０Ｌ、２１０Ｒとして使用するため、新たな部品は必要ない。
【００７９】
次に、草刈装置２を走行車体１から外した状態において、リンク機構のリフトアーム１１Ｌ、１１Ｒが、ベルトカバー２４の上面に接触しない様にした構成について説明する。
【００８０】
草刈装置２を走行車体１から外す場合、後部リンク１３Ｌ、１３Ｒを草刈装置２から外し、且つ、リンク機構のリフトアーム１１Ｌ、１１Ｒを走行車体１から外す（図１参照）。
【００８１】
リンク機構のリフトアーム１１Ｌ、１１Ｒを走行車体１から外すと、リフトアーム１１Ｌ、１１Ｒは、その自重によりリフトアーム１１Ｌ、１１Ｒのアーム先端部１１０Ｌ、１１０Ｒの回動支持ピン２０１Ｌ、２０１Ｒを回動軸として、ベルトカバー２４の上面側に移動する（図１、図１１、図１２参照）。しかし、リフトアーム１１Ｌ、１１Ｒが水平位置まで移動したとき、アーム先端部１１０Ｌ、１１０Ｒが、連結ブラケット２００Ｌ、２００Ｒの前側の内壁面に設けられた回動ストッパー（図示省略）に接触して、そこで回動動作が停止して、リフトアーム１１Ｌ、１１Ｒは水平状態を維持する。
【００８２】
これにより、草刈装置２を走行車体１から外して、トラックに載せて移動したり、倉庫で保管したりするときに、ベルトカバー２４の上面に傷が付かないので、傷の発生を防止するためのシートなどをベルトカバー２４の上に被せるなどの作業が必要ない。
【００８３】
尚、上記実施の形態では、圧縮バネ部材１５４を備えたガード部材１５０と端部が半球形状のストッパーピン１６１を備えた取り付け板１５１とを組み合わせた場合について説明したが、これに限らず例えば、ガード部材において、圧縮バネ部材が設けられておらず、かつ、取り付け板において、端部が半球形状のストッパーピンが設けられていなくても良い。即ち、この場合、草刈装置２をフリップアップ状態にする前に、ガード本体１５２を左側の回動シャフト支持部１５１ｂＬに固定するためのボルト１６０ａとナット１６０ｂを取り外しておきさえすれば、ガード部材は回動可能であるため、草刈装置２がフリップアップ状態になることを阻害することは無いし、ガード部材が破損したり変形したりすることも無い。
【００８４】
また、上記実施の形態では、刈草排出口１４の上端側において下方に傾斜した刈草案内部材２０Ｅが設けられている場合について説明したが、これに限らず例えば、刈草案内部材２０Ｅが設けられていなくても良い。この場合、ガード部材１５０を取り付けるための取り付け板１５１は、モーアデッキ２０の刈草排出口１４の上端部に固定すればよい。
【産業上の利用可能性】
【００８５】
本発明の乗用型草刈機によれば、安全性を向上させた乗用型草刈機を提供することが出来るという効果を発揮し、リアディスチャージ型の草刈装置を備えた乗用型草刈機などとして有用である。
【符号の説明】
【００８６】
１  走行車体
２  草刈装置（モーアユニット）
３  前輪
４  後輪
５  エンジン
６  ステップフロア
７  運転座席
８  ステアリングポスト
９  ハンドル
１０  ミッションケース
１１Ｌ  左側のリンク機構のリフトアーム
１１Ｒ  右側のリンク機構のリフトアーム
１２  回転軸
２０  モーアデッキ
２１  第１回転刈り刃
２２  第２回転刈り刃
２３  第３回転刈り刃
２４  ベルトカバー
２５、２６、２７  接地ローラ  
２９  プロテクタ
１５０  ガード部材
１５１  取り付け板
１５２  ガード本体
１５３  回動シャフト
【図１】
0005672260.tif 000002
【図２】
0005672260.tif 000003
【図３】
0005672260.tif 000004
【図４】
0005672260.tif 000005
【図５】
0005672260.tif 000006
【図６】
0005672260.tif 000007
【図７】
0005672260.tif 000008
【図８】
0005672260.tif 000009
【図９】
0005672260.tif 000010
【図１０】
0005672260.tif 000011
【図１１】
0005672260.tif 000012
【図１２】
0005672260.tif 000013
【図１３】
0005672260.tif 000014
【図１４】
0005672260.tif 000015